(57)【要約】【課題】帯状の導電バーに電線を接続するために使用する端子台を提供する。【解決手段】端子台に導電バー（Ｂ）を嵌合する導電バー嵌合部２を設けるとともに、端子台に形成した電線挿入孔３から電線（Ａ）を押圧する鎖錠ばね４を前記導電バー嵌合部２に臨ませて設ける。これにより導電バーに孔加工を施さなくても電線の接続が可能なものであり、導電バーの任意の位置に端子台を取り付けることができるものである。【選択図】    図１
2004165045.tif 000002
【特許請求の範囲】
【請求項１】
端子台に導電バーを嵌合する導電バー嵌合部を設けるとともに、端子台に形成した電線挿入孔から電線を押圧する鎖錠ばねを前記導電バー嵌合部に臨ませて設けたことを特徴とする端子台。
【請求項２】
端子台は端子ケースを備えたものであり端子ケースの下方に導電バー嵌合部を、下端に設けた開口部の前後に内向き設けた係止部により横方向に貫通させて形成したことを特徴とする請求項１に記載の端子台。
【請求項３】
開口部の前後に設けた係止部を前後方向に開拡できる弾性のあるものとしたうえ、該係止部の開拡手段を設けたことを特徴とする請求項２に記載の端子台。
【発明の詳細な説明】
【０００１】
【発明の属する技術分野】
本発明は、分電盤に配設したアース用導電バー等の帯状の導電バーに電線を接続するために使用する端子台に関するものである。
【０００２】
【従来の技術】
従来、帯状の導電バーに電線を接続するには、導電バーにねじ孔を加工してねじで接続するのものが普通である。しかし、これはねじによる接続のため作業性が悪いものであった。そこで、導電バーを挿通するバー挿通孔を設けたうえ該導電バーと電気的に接続した速結端子部に電線を接続させる端子台が知られている。（例えば、特許文献１参照）
【０００３】
【特許文献１】特開平９−１１２０３６号公報
【０００４】
【発明が解決しようとする課題】
ところが、前記特許文献１に示すものは、導電バーを端子台のバー挿通孔に挿通するには導電バーの端部を端子台の側方から挿入させて行わなければならず、導電バーを基板から外した状態で行う必要がある。そのため、分岐ブレーカの増設により端子台を増設する必要が生じた場合には導電バーを基板から外す必要があり手数を要するものであった。
【０００５】
【課題を解決するための手段】
前記の課題を解決するためになされた本発明の端子台は、端子台に導電バーを嵌合する導電バー嵌合部を設けるとともに、端子台に形成した電線挿入孔から電線を押圧する鎖錠ばねを前記導電バー嵌合部に臨ませて設けたことを特徴とするものを請求項１に記載の発明とし、この発明において、子台は端子ケースを備えたものであり端子ケースの下方に導電バー嵌合部を、下端に設けた開口部の前後に内向き設けた係止部により横方向に貫通させて形成したことを特徴とするものを請求項２に記載の発明とする。そして、この請求項２の発明において、開口部の前後に設けた係止部を前後方向に開拡できる弾性のあるものとしたうえ、該係止部の開拡手段を設けたことを特徴とするものを請求項３に記載の発明とする。
【０００６】
前記した請求項１に記載の発明によれば、端子台に導電バーを嵌合する導電バー嵌合部を設けるとともに、端子台に形成した電線挿入孔から電線を押圧する鎖錠ばねを前記導電バー嵌合部に臨ませて設けたものであるから、導電バーに孔加工を施さなくても電線の接続が可能なものであり、導電バーの任意の位置に端子台を取り付けることができるものである。また、前記した請求項２に記載の発明によれば、端子台が端子ケースを備えたものであり端子ケースの下方に形成した導電バー嵌合部は下端に設けた開口部の前後に内向き設けた係止部によりなるものであるから、開口部から導電バーを導電バー嵌合部に挿入させたうえ該開口部の前後に設けた係止部を導電バーの両端下部に係合させて端子台を導電バーに取り付ける。そして、電線を電線挿入孔から鎖錠ばねと導電バーの間に差し込めば、電線は鎖錠ばねにより下方に押圧されて導電バーと接続するとともに該電線は導電バーを端子ケースの係止部に押圧するので、端子台は導電バーにロックされた状態で取り付けられることとなる。
【０００７】
また、請求項３に記載の発明によれば、開口部の前後に設けた係止部を前後方向に開拡できる弾性のあるものとしたから、端子台の導電バーへの取り付け作業が容易なものである。そして、係止部の開拡手段を設けたものであるから、この開拡手段により係止部を開拡させることにより係止部の導電バーへの係止が解除されるので端子台を導電バーから容易に取り外すことができる。
【０００８】
【発明の実施の形態】
次に、本発明の実施の形態を図により説明する。
１は前後板部１１、１２と左右板部１３、１４と天板部１５により下端を開口部１６に形成した逆箱状の合成樹脂よりなる端子ケースであり、該端子ケース１の下方には左右板部１３、１４の下方を扁平四角形状に切欠したうえ、開口部１６の前後に内向きに係止部１６ａ、１６ａを設けて導電バー嵌合部２が横方向に貫通させて形成されている。また、端子ケース１の前後板部１１、１２のどちらか一方すなわち前板部１１に電線挿入孔３を形成したうえ該端子ケース１内に電線挿入孔３から挿通した電線（Ａ）を下方に向け押圧する鎖錠ばね４を前記導電バー嵌合部２に臨ませて設けてある。
【０００９】
なお、前記導電バー嵌合部２を形成する係止部１６ａ、１６ａは図１から図３に示すものは端子ケース１に直接設けたものではなく端子ケース１の内面に添うように形成した弾性帯板よりなる門形枠板５の起立板部５ａ、５ｂの下端を内向きに凸状に湾曲させて形成した弾性を持たせたものである。また、この弾性を持たせた係止部１６ａ、１６ａを開拡させて導電バー（Ｂ）から端子ケース１すなわち端子台を離脱させるための係止部開拡手段が設けられている。
【００１０】
この係止部開拡手段は、門形枠板５の起立板部５ａ、５ｂの一方すなわち電線挿入孔３が形成されていない後板部１２側の起立板部５ｂの下端縁に後板部１２の外側に張出する係止孔５１ａ付きの舌片部５１を連設して、該係止孔５１ａに端子ケース１の後板部１２の外側に枢支させて設けたレバー６の下端を係合させて該レバー６の上端を内向きに操作することにより枢支点を支点にレバー６の下端が外向きに移動して起立板部５ｂの下端に設けた係止部１６ａを開拡させるものである。
【００１１】
なお、この門形枠板５と前記鎖錠ばね４は図２に示すように端子ケース１を左右対称としたケース部材１ａ、１ａを組み合わせてなるものとして、一方のケース部材１ａに側方から内壁に突設した係止凸部に保持させて組み込み両ケース部材１ａ、１ａを組みあわせて端子ケース１内にセットするものである。
【００１２】
このように構成されたものは、端子ケース１の下端に形成した開口部１６を導電バー（Ｂ）の上方に臨ませたうえ開口部１６の前後に内向きに設けた係止部１６ａ、１６ａの間から導電バー（Ｂ）を挿入して、係止部１６ａ、１６ａを導電バー（Ｂ）の幅方向の両端下面に係止させて該導電バー（Ｂ）を導電バー嵌合部２に貫通させた状態として端子ケース１すなわち端子台を取り付ける。なお、この場合に係止部１６ａ、１６ａが弾性を持たせたものであれば、係止部１６ａ、１６ａの下端案内面１６ｂ、１６ｂを導電バー（Ｂ）に押し付ければ係止部１６ａ、１６ａが開拡して自動的に導電バー嵌合部２に導電バー（Ｂ）を貫通させた状態として端子ケース１すなわち端子台が導電バー（Ｂ）に取り付けられることとなる。しかし、図４に示すように係止部１６ａ、１６ａを端子ケース１に直接設け、弾性がない場合には、導電バー（Ｂ）を一点鎖線に示すように傾斜させ係止部１６ａの斜め上部に形成した拡大凹部１７に一旦挿入させたうえ端子台を取り付けるものである。従って、端子台は導電バーの任意の位置に取り付けることができる。
【００１３】
前記したように、端子台を導電バー（Ｂ）に取り付けたら、電線（Ａ）を電線挿入孔３から鎖錠ばね４と導電バー（Ｂ）の間に差し込めば、電線（Ａ）は鎖錠ばね４により下方に押圧されて導電バー（Ｂ）と接続するとともに該電線（Ａ）は導電バー（Ｂ）を端子ケース１の係止部１６ａ、１６ａに押圧するので、電線（Ａ）は鎖錠ばね４の弾発下に導電バー（Ｂ）との間に強く挟持されて抜け出ることもなく、また、端子台は鎖錠ばね４の弾発下に導電バー（Ｂ）にロックされた状態で取り付けられるととなるものである。
【００１４】
また、端子台から電線（Ａ）を外す場合には、導電バー（Ｂ）を導電バー嵌合部２から外すことにより電線（Ａ）の鎖錠ばね４との挟持が解かれて電線挿入孔３から引き抜くことができるものである。この場合に、係止部１６ａ、１６ａを弾性を持たせたものとして、該係止部１６ａ、１６ａを開拡させる係止部開拡手段が設けられているものであれば、該係止部開拡手段により係止部を開拡させることにより導電バー嵌合部２から導電バー（Ｂ）を容易に外すことができるものである。
【００１５】
なお、係止部１６ａ、１６ａが図４に示すように端子ケース１の開口部１６の前後に直接設けたものである場合には導電バー（Ｂ）を分電盤の基台から外した状態で導電バー（Ｂ）を導電バー嵌合部２から外すものである。
【００１６】
【発明の効果】
以上説明したように、本発明は端子台に導電バーを嵌合する導電バー嵌合部を設けるとともに、端子台に形成した電線挿入孔から電線を押圧する鎖錠ばねを前記導電バー嵌合部に臨ませて設けたものであるから、導電バーに孔加工を施さなくても電線の接続が可能なものであり、導電バーの任意の位置に端子台を取り付けることができる。
また、端子台が端子ケースを備えたものであり、端子ケースの下方に形成した導電バー嵌合部が、下端に設けた開口部の前後に内向き設けた係止部によりなるとすれば、開口部から導電バーを導電バー嵌合部に挿入させたうえ該開口部の前後に設けた係止部を導電バーの両端下部に係合させて端子台を導電バーに取り付けることができるので、導電バーを分電盤の取付ベースに取り付けた状態においても行うことができるものである。また、電線を電線挿入孔から鎖錠ばねと導電バーの間に差し込んで、該電線が鎖錠ばねと導電バーの間に介在することにより生じる凹圧力を利用して電線と導電バーの接続及び端子台を導電バーにロックされた状態とするものであり、構造が簡単で安価に提供できるものである。
【図面の簡単な説明】
【図１】本発明の実施形態を示す断面図である。
【図２】本発明の実施形態を分解して示す斜視図である。
【図３】本発明の実施形態を示す一部切欠斜視図である。
【図４】本発明の実施形態の他例を示す断面図である。
【符号の説明】
１  端子ケース
１１  前板部
１２  後板部
１３  左板部
１４  右板部
１５  天板部
１６  開口部
１６ａ    係止部
２  導電バー嵌合部
３  電線挿入孔
４  鎖錠ばね
（Ａ）電線
（Ｂ）導電バー
【図１】
2004165045.tif 000003
【図２】
2004165045.tif 000004
【図３】
2004165045.tif 000005
【図４】
2004165045.tif 000006